(57)【要約】 半球状のルーネベルグレンズを電波の反射板と組み合わせて構成されるルーネベルグレンズアンテナ装置の設置を容易化する。  アンテナ取り付け治具２と、このアンテナ取り付け治具２にアンテナ装置１の電波の反射板１ｂを着脱自在に取り付けるボルト３などの取り付け手段とを備え、前記反射板１ｂとアンテナ取り付け治具２に前記取り付け手段による取り付け部が予め設けられ、アンテナ取り付け治具２をアンテナ設置部に取り付け、このアンテナ取り付け治具２に前記取り付け手段で反射板１ｂを取り付けるようにした。【特許請求の範囲】
【請求項１】
アンテナ取り付け治具と、半球状のルーネベルグレンズと組み合わせたアンテナ装置の電波の反射板を前記アンテナ取り付け治具に着脱自在に取り付ける取り付け手段とを備え、前記反射板と前記アンテナ取り付け治具に前記取り付け手段による取り付け部が予め設けられ、前記アンテナ取り付け治具をアンテナ設置部に取り付け、このアンテナ取り付け治具に前記取り付け手段で前記反射板を取り付けるようにしたルーネベルグレンズアンテナ装置。
【請求項２】
ボルト又はボルト・ナットで前記反射板又はこの反射板の裏面に設けたアタッチメントを前記アンテナ取り付け治具に固定するようにした請求項１に記載のルーネベルグレンズアンテナ装置。
【請求項３】
前記反射板又はその反射板の裏面に設けたアタッチメントと前記アンテナ取り付け治具に、フックとフック掛けを対応して設け、そのフックとフック掛けで前記反射板をアンテナ取り付け治具に吊り掛けるようにした請求項１に記載のルーネベルグレンズアンテナ装置。
【請求項４】
前記反射板又はその反射板の裏面に設けたアタッチメントと前記アンテナ取り付け治具に、プラグとソケットを対応して設け、前記ソケットに前記プラグを挿入して前記反射板をアンテナ取り付け治具に取り付けるようにした請求項１に記載のルーネベルグレンズアンテナ装置。
【請求項５】
前記アンテナ取り付け治具に係合用の溝を設け、この溝に前記反射板又はこの反射板の裏面に設けたアタッチメントの両側縁を係合させて前記反射板を前記アンテナ取り付け治具で支持するようにした請求項１に記載のルーネベルグレンズアンテナ装置。
【請求項６】
前記反射板とアンテナ取り付け治具に、ピン穴を有する連結具を対応させて設け、この連結具をピンで連結して前記反射板を前記アンテナ取り付け治具に取り付けるようにした請求項１に記載のルーネベルグレンズアンテナ装置。
【請求項７】
前記反射板の裏面と前記アンテナ取り付け治具に、バンドとバンド掛けを対応して設け、前記バンドをバンド掛けに掛けて前記反射板を前記アンテナ取り付け治具に取り付けるようにした請求項１に記載のルーネベルグレンズアンテナ装置。
【請求項８】
前記アンテナ取り付け治具に起立したポールを設け、前記反射板の裏面に設けたアタッチメントとボルトで締め付ける押さえ金具とで前記ポールを挟みつけて前記反射板を前記アンテナ取り付け治具に取り付けるようにした請求項１に記載のルーネベルグレンズアンテナ装置。
【発明の詳細な説明】
【技術分野】
【０００１】
この発明は、設置の容易化を図ったルーネベルグレンズアンテナ装置に関する。
【背景技術】
【０００２】
複数の静止衛星との間で電波の送受信を行えるアンテナ装置として、ルーネベルグレンズアンテナ装置が脚光を浴びだしている。このルーネベルグレンズアンテナ装置の中に、コンパクト化を目的として、半球状のルーネベルグレンズと電波を反射させる反射板とを組み合わせて球状レンズを使用したものと等価な機能を確保したものがある。【０００３】
反射板を有するそのルーネベルグレンズアンテナ装置の設置方法として、本出願人は、反射板を直接アンテナ設置部にねじ止めしたり、吊りかけたりして直接壁面等に取り付ける方法を考えて下記特許文献１に示している。【０００４】
ところで、従来、衛星放送の受信に利用されているパラボラアンテナは、仮止め後、反射板自体を動かし、受信調整が必要である。従って、受信調整において方位調整のためにポールに取り付けているが、反射板の形状が凹型のため、壁面や柵に沿った平面で安定して支持することができない。【０００５】
これに対し、反射板を有するルーネベルグレンズアンテナ装置は、一次放射器を保持するアームの角度やアーム上での一次放射器の位置を調整して一次放射器を電波の収束点に位置決めでき、反射板の向きは微調整する必要がない。また、反射板の形状は平板状である。従って、反射板を壁面などの広い面にきっちりと沿わせて安定して固定することができる。【０００６】
ところが、このルーネベルグレンズアンテナ装置は、上記特許文献１に示した設置方法などでは、簡単に設置できないことがある。【０００７】
ねじ止め用のアンカーやフック掛けなどを例えば壁面に取り付ける場合、アンカーやフック掛けの取り付け位置を設定するときに重量のあるアンテナ装置を補助者が支えていわゆる現物合わせで取り付け位置のマーキングを行う必要があり、また、取り付け後のアンカーにねじをねじ込んで反射板を最終的に固定するときにも何本かのねじを締め終えるまで補助者がアンテナ装置を支えておく必要がある。さらに、アンカーなどの取り付け位置がずれて位置修正を強いられることもあり、作業性が悪くて設置に手間取る。
【特許文献１】ＰＣＴ／ＪＰ０２／０９１７９号
【発明の開示】
【発明が解決しようとする課題】
【０００８】
この発明は、反射板を有するルーネベルグレンズアンテナ装置を簡単に設置できるようにすることを課題としている。
【課題を解決するための手段】
【０００９】
上記の課題を解決するため、この発明においては、アンテナ取り付け治具と、半球状のルーネベルグレンズと組み合わせたアンテナ装置の電波の反射板を前記アンテナ取り付け治具に着脱自在に取り付ける取り付け手段とを備え、前記反射板と前記アンテナ取り付け治具に前記取り付け手段による取り付け部が予め設けられ、前記アンテナ取り付け治具をアンテナ設置部に取り付け、このアンテナ取り付け治具に前記取り付け手段で前記反射板を取り付けるようにしたルーネベルグレンズアンテナ装置を提供する。【００１０】
反射板を前記アンテナ取り付け治具に着脱自在に取り付けるための取り付け手段は、ボルトとそれをねじ込むねじ穴、貫通穴とその穴に通すボルトと締め付け用のナット、フックとフック掛け、プラグとソケット、係合用の溝とその溝に係合させる部材、ピンとそのピンで連結する連結具、バンドとバンド掛け、ポールとそのポールを挟み付ける部材など種々のものを使用できる。
【発明の効果】
【００１１】
この発明のルーネベルグレンズアンテナ装置は、アンテナ装置から独立させたアンテナ取り付け治具をアンテナ設置部に取り付け、その後、取り付け手段を使用してアンテナ取り付け治具にアンテナ装置を取り付ける。【００１２】
アンテナ取り付け治具の取り付けは、重いアンテナ装置を外してあるので楽に行える。また、アンテナ取り付け治具に対するアンテナ装置の取り付けは、反射板とアンテナ取り付け治具に取り付け手段による取り付け部が予め設けられているので、位置修正などを行わずに取り付けることができ、ルーネベルグレンズアンテナ装置の設置が従来に比べて簡単になる。
【図面の簡単な説明】
【００１３】
【図１】（ａ）はこの発明のルーネベルグアンテナ装置の一実施形態を示す側面図、（ｂ）は正面図
【図２】（ａ）は他の実施形態の側面図、（ｂ）は正面図
【図３】更に他の実施形態の側面図
【図４】更に他の実施形態の側面図
【図５】（ａ）は更に他の実施形態の側面図、（ｂ）はフックとフック掛けの係合状態を示す図
【図６】（ａ）は更に他の実施形態の側面図、（ｂ）はフックとフック掛けの詳細を示す斜視図
【図７】（ａ）は更に他の実施形態の側面図、（ｂ）はフックとフック掛けの詳細を示す斜視図
【図８】更に他の実施形態の側面図
【図９】更に他の実施形態の側面図
【図１０】（ａ）は更に他の実施形態の側面図、（ｂ）は係合用の溝と係合片の斜視図
【図１１】図１０の係合用の溝と係合片の変形例を示す正面図
【図１２】（ａ）は更に他の実施形態の側面図、（ｂ）は平面図
【図１３】更に他の実施形態の側面図
【図１４】更に他の実施形態の側面図
【図１５】（ａ）は更に他の実施形態の側面図、（ｂ）はアンテナ装置の背面図
【図１６】（ａ）は更に他の実施形態の側面図、（ｂ）は平面図
【図１７】横置き型のアンテナ装置の実施形態を示す側面図
【図１８】横置き型のアンテナ装置の他の実施形態を示す側面図
【図１９】横置き型のアンテナ装置の更に他の実施形態を示す側面図
【図２０】横置き型のアンテナ装置の更に他の実施形態を示す側面図
【図２１】横置き型のアンテナ装置の更に他の実施形態を示す側面図
【図２２】横置き型のアンテナ装置の更に他の実施形態を示す側面図
【図２３】アンテナ取り付け治具の他の例を示す側面図
【符号の説明】
【００１４】
１              アンテナ装置
１ａ            ルーネベルグレンズ
１ｂ            反射板
２              アンテナ取り付け治具
３、２１、２３  ボルト
４              アタッチメント
５              取り付け具
６、１２、２４  ナット
７              フック
８              フック掛け
９              プラグ
１０            ソケット
１１            止めねじ
１３、２５      溝
１４、１５      連結具
１６            ピン
１７            バンド
１８            バンド掛け
１９            留め具
２０            マスト
２２            押え具
２６            係留具
２７            ストッパ付きキャスタ
２８            重り
【発明を実施するための最良の形態】
【００１５】
この発明のルーネベルグレンズアンテナ装置の実施の形態を、添付図面に基づいて説明する。図１のルーネベルグレンズアンテナ装置は、アンテナ装置１と、アンテナ取り付け治具２と、アンテナ装置１をアンテナ取り付け治具２に取り付けるためのボルト（取り付け手段）３とで構成されている。【００１６】
アンテナ装置１は、半球状のルーネベルグレンズ１ａと電波反射用の反射板１ｂを組み合わせてなる。このアンテナ装置１の他には、ルーネベルグレンズ１ａの表面に被せる保護カバーと、電波を受・発信する一次放射器（ＬＮＢ：低ノイズブロックコンバーター）と、その一次放射器を方位角調整可能に保持する仰角調整の可能なアームがあるが、図はこれらを省略したものにしている。なお、上記省略部品は、アンテナ装置１もしくはアンテナ取り付け治具２に取り付けられる。【００１７】
反射板１ｂの裏面には、アンテナ取り付け治具２の前面に沿わせるアタッチメント４を取り付けている。【００１８】
アンテナ取り付け治具２は、アンテナ設置部に対する取り付け具５を備えている。図示の取り付け具５は、アンテナ取り付け治具２の裏面に植設したボルト５ａに押さえ金具５ｂを嵌め、その押さえ金具５ｂをナット５ｃで締め付けてベランダの柵Ａなどをアンテナ取り付け治具２と押さえ金具５ｂとの間に挟み付ける。この構造によれば、アンテナ取り付け治具２を予め柵Ａなどに取り付け、その後、ボルト３をアンテナ取り付け治具２に設けたボルト穴（取り付け部）に通し、アタッチメント４に設けたねじ穴（取り付け部）にねじ込んでアンテナ装置１をアンテナ取り付け治具２に取り付けることができ、設置が簡単になる。【００１９】
図２に示すように、予めボルト穴を設けてそのボルト穴にボルト３を通し、このボルト３をアンテナ取り付け治具２に設けたねじ穴にねじ込む構造や、図３に示すように、反射板１ｂの裏面にボルト３を植設し、そのボルト３をアンテナ取り付け治具２に設けたボルト穴に通し、ナット６を締めつけてアンテナ装置１をアンテナ取り付け治具２に取り付ける構造にしてもよい。なお、図１〜図３に示すものは、ボルト３による締結部を３箇所以上設けるのが好ましい。【００２０】
ボルト３とナット６は、図４に示すように、アンテナ装置１の中央部に配置してもよい。アンテナ取り付け治具２とアンテナ装置１との間にアンテナ装置１の回り止め部（図示せず）を設けて図のように１組のボルト・ナットで締結を行えば、アンテナ設置時の作業工数が減少する。【００２１】
図５は、図１と同様の構造のアンテナ取り付け治具２とアタッチメント４に、フック７とフック掛け８を対応して設け、そのフック７とフック掛け８を使用してアンテナ取り付け治具２にアンテナ装置１を吊り掛けるようにしたものである。アンテナ装置１は、外れ止めのために下側をボルト３などでアンテナ取り付け治具２に固定するのがよい。【００２２】
フック７とフック掛け８は、図６や図７に示すような形状のものでもよいし、フック７がアンテナ装置１側に、フック掛け８がアンテナ取り付け治具２側にそれぞれ設けられていてもよい。フック７とフック掛け８は、それのみで取り付けを行う場合にはアンテナ装置の動き止めのために３組以上設けるのが望ましい。【００２３】
図８、図９は、アンテナ装置１をアンテナ取り付け治具２に取り付けるための取り付け手段として、プラグ９とソケット１０を採用したものである。図８に示すものは、プラグ９とソケット１０を横向きにして嵌合させ、止めねじ１１でプラグ９を外れ止めするようにしている。【００２４】
また、図９に示すものは、プラグ９（図のそれは起立したねじ軸）にソケット１０（図のそれはスリーブ）を外嵌し、設定したアンテナ装置の向きを維持するためにプラグ９（ねじ軸）に螺合したナット１２でソケット１０を回転しないように上から締め付ける構造にしている。【００２５】
図１０、図１１は、溝嵌合方式の取り付け手段を使用してアンテナ装置１をアンテナ取り付け治具２に取り付けるものを示している。図１０に示すものは、アンテナ取り付け治具２に係合用の溝１３となるＴスロットを設け、その溝１３に、左右に張り出させたアタッチメント４の両側縁の係合片を上から差し込んでアンテナ装置１をアンテナ取り付け治具２に取り付けるようにしている。係合用の溝１３は、蟻溝でもよい。また、その溝１３は、図１１に示すような非連続の溝であってもよく、さらに、アンテナの電気性能に支障がなければ、反射板１ｂの両側縁を係合片にして図１１のように直接溝１３に係合させる構造にしてもよい。【００２６】
図１２に示すように、アンテナ装置１とアンテナ取り付け治具２に、ピン穴を有する連結具１４、１５を対応して設け、その連結具１４、１５をピン穴に対して抜き差し自在のピン１６で接続することもできる。【００２７】
さらに、図１３や図１４に示すように、種類の異なる取り付け手段を併用してアンテナ装置１をアンテナ取り付け治具２に着脱自在に取り付けることもできる。図１３では、連結具１４、１５とピン１６からなる取り付け手段と留め具１９を併用している。また、図１４では、図７のフック７とフック掛け８を組み合わせた取り付け手段とバンド１７とバンド掛け１８を組み合わせた取り付け手段を併用している。これらは、下側の取り付け手段による取り付けを先に行ってアンテナ装置１をアンテナ取り付け治具２で受け支え、この状態で留め具１９やバンド１７を用いた上側の取り付け手段による取り付けを行うことができるので作業がし易い。【００２８】
図１５に示すように、アンテナ装置１側に例えばステンレス製のバンド１７を設け、そのバンド１７をアンテナ設置部の柵などに巻き掛けてアンテナ装置１をアンテナ取り付け治具２に取り付けることもできる。【００２９】
図１６は、アンテナ取り付け治具２に起立したマスト２０を含ませ、そのマスト２０を、アタッチメント４とボルト２１で締めつける押さえ具２２とで挟み付けてアンテナ装置１をアンテナ取り付け治具２に取り付けるようにしており、このような構造でも設置の容易化が図れる。【００３０】
図１〜図１６に示したものは、アンテナ取り付け治具２をアンカーボルトなどを用いて壁面などに取り付けるようにしてもよく、また、この治具にフックなどを設けて壁などにかけるようにしてもよい。【００３１】
図１〜図１６は、アンテナ装置１を縦向きに配置する例を示しているが、アンテナ装置１は横置きにして設置することもできる。図１７〜図２２に、アンテナ装置１を横置き状態に設置する例を示す。この横置き配置では、水切りのために反射板１ｂを水平面に対して数度（水滴が自然に流れ落ちる角度）傾けるのがよい。【００３２】
図１７は、アンテナ設置部、例えばビルの屋上などにアンテナ取り付け治具２をアンカーボルトなどを使用して予め設置し、そのアンテナ取り付け治具２に設けられているねじ穴にボルト３をねじ込んで反射板１ｂの裏面に設けたアタッチメント４をアンテナ取り付け治具２に固定するもの、
図１８は、アンカーボルトなどでアンテナ設置部に取り付けるアンテナ取り付け治具２の上面にボルト２３を植設し、そのボルト２３を反射板１ｂに設けたボルト穴に通し、ナット２４で反射板１ｂをアンテナ取り付け治具２に固定するもの、
図１９は、アンテナ設置部にアンカーボルトなどで取り付けるアンテナ取り付け治具２にＴスロットや蟻溝などの係合用の溝２５を設け、その溝２５に反射板１ｂの両側縁を横から差し込んでアンテナ装置１を固定するもの、
図２０は、ワイヤやターンバックル付きねじ軸などの係留具２６を用いてアンテナ装置１をアンテナ取り付け治具２に固定するもの、
図２１は、反射板１ｂの裏面にストッパ付きキャスタ２７を設け、アンテナ装置１をそのストッパ付きキャスタ２７で支えるもの、
図２２は、反射板１ｂの裏面に設けたアタッチメント４を重り２８を使用して固定するものをそれぞれ示している。【００３３】
この横置き型のアンテナ装置は、アンテナ装置１をアンテナ設置部に直接取り付けることもでき、アンテナ取り付け治具２は必須の要素で無くなるが、図１７、図１８、図１９に示すものは、アンテナ取り付け治具２を含めると、縦置き型と横置き型を兼用した装置にすることが可能になる。【００３４】
図１〜図４に示すもの、図８、図１０に示すもの、図１１〜図１５に示すものなども、アンカーボルトなどでアンテナ設置部に固定する図２３に示すような門型のアンテナ取り付け治具２を使用して、そのアンテナ取り付け治具２にアンテナ装置側のアタッチメント４や反射板１ｂを固定する構造にすれば、横置き型を兼用したものにすることができる。【００３５】
さらに、壁上に平置きできるアンテナ取り付け治具を使用して、水平にアンテナ装置を設置することも可能である。また、図５、図６もしくは図１５に示す縦置き型の設置治具を用いて、水平にアンテナ装置を設置することも可能である。
【図１】
2005076406.tif 000002
【図２】
2005076406.tif 000003
【図３】
2005076406.tif 000004
【図４】
2005076406.tif 000005
【図５】
2005076406.tif 000006
【図６】
2005076406.tif 000007
【図７】
2005076406.tif 000008
【図８】
2005076406.tif 000009
【図９】
2005076406.tif 000010
【図１０】
2005076406.tif 000011
【図１１】
2005076406.tif 000012
【図１２】
2005076406.tif 000013
【図１３】
2005076406.tif 000014
【図１４】
2005076406.tif 000015
【図１５】
2005076406.tif 000016
【図１６】
2005076406.tif 000017
【図１７】
2005076406.tif 000018
【図１８】
2005076406.tif 000019
【図１９】
2005076406.tif 000020
【図２０】
2005076406.tif 000021
【図２１】
2005076406.tif 000022
【図２２】
2005076406.tif 000023
【図２３】
2005076406.tif 000024
【国際調査報告】
2005076406.tif 000025
2005076406.tif 000026
2005076406.tif 000027
2005076406.tif 000028